Podtech/llm-jp-corpus-v4-ja_patent huggingface dataset:
(57)【要約】【課題】ペット用排泄物吸収処理シートを使用後に廃棄処分する際、シート上の汚物をこぼすことのないように、衛生的で簡単に廃棄処分できる機能と、その装備方法を提供する。【解決手段】ペット用排泄物吸収処理シートの吸収部以外の部分の適宜ヶ所にミシン目又は切れ目を設け、これを切り離してひもに見立て、利用することを特徴とするペット用排泄物吸収処理シートの廃棄処分機能及びその装備方法。【選択図】図１
2005137343.tif 000002
【特許請求の範囲】
【請求項１】
ペット用排泄物吸収処理シートの吸収部以外の部分の適宜ヶ所にミシン目又は切れ目を設け、これを切り離し、ひもに見立てることを特徴とするペット用排泄物吸収処理シートの廃棄処分機能及びその装備方法。
【発明の詳細な説明】
【技術分野】
【０００１】  この発明は、使用後のペット用排泄物吸収処理シートを廃棄処分する際に、衛生的で簡単に処分できる機能と、その装備方法に関する。
【背景技術】
【０００２】  従来のペット用排泄物吸収処理シートはペットの排泄物を吸収処理することにより、汚染ヶ所をペット用排泄物吸収処理シート内にとどめることが目的であり、使用後はごみとして、廃棄処分する必要がある。【０００３】  また、使用後のペット用排泄物吸収処理シートを簡単で衛生的に廃棄処分するための発明および考案（例えば、特許文献１または特許文献２参照）があるが、いずれも従来のペット用排泄物吸収処理シートに、新たにひも等の部材を取り付けたものである。
【特許文献１】特開２００１−２０４２８６
【特許文献２】実用新案登録番号第３０５３１４５号
【発明の開示】
【発明が解決しようとする課題】
【０００４】  しかしながら、以上の技術によれば、使用後のペット用排泄物吸収処理シートを廃棄処分する際に次のような問題があった。
（イ）使用後のペット用排泄物吸収処理シートは廃棄処分するためにゴミ袋等へ移さなければならないのであるが、その際、手袋を着用したり、つまみ道具等を用いることは、手間がかかる。
（ロ）（イ）の作業を行う際に、ペット用排泄物吸収処理シートから汚物がこぼれ出ることがあり、それがペット用排泄物吸収処理シート以外の所を汚染し、不衛生である。また、汚物がこぼれ出ないように作業を行うことは極めて困難である。【０００５】（ハ）使用後、衛生的で簡単に廃棄処分できるように、ペット用排泄物吸収処理シートに、あらかじめ、ひもや袋等を設置することは、手間がかかり、面倒である。【０００６】（ニ）また、特許文献１および特許文献２においては、いずれもペット用排泄物吸収処理シートに、新たに別の部材を取り付けることにより、その目的を果たそうとするものであるが、従来、ペット用排泄物吸収処理シートは、ほとんどが使い捨てのタイプで、その価格は非常に安価であり、これに付加機能を持たせるために、従来のペット用排泄物吸収処理シートに、新たに別の部材を取り付けたり、また、そのために加工するための機械を生産ラインに導入することは、生産コストが上昇することは必至であり、価格が高くなるおそれがある。【０００７】（ホ）従来のペット用排泄物吸収処理シートには、使用後、衛生的で簡単に廃棄処分できる機能そのものが無かった。【０００８】  本発明は、以上の問題を解決するために、ペット用排泄物吸収処理シートを使用後、衛生的で簡単に廃棄処分できる機能と、その装備方法を提供することを課題とする。
【課題を解決するための手段】
【０００９】  以上の課題を解決するために、この発明は、ペット用排泄物吸収処理シート１の吸収部４以外の部分の適宜ヶ所に、ミシン目又は切れ目２を設けるという方法により、ミシン目又は切れ目２を切り離し、切り離された部分３をひもに見立て、これを持ち上げて縛り、平面状のペット用排泄物吸収処理シートを袋状に変形させることを特徴とするペット用排泄物吸収処理シートの廃棄処分機能とその装備方法である。
【発明の効果】
【００１０】  この発明によれば、ペット用排泄物吸収処理シート１に、ミシン目又は切れ目２を設けるだけで、このミシン目又は切れ目２を切り離し、切り離された部分３をひもに見立て、これを利用して簡単に使用後のペット用排泄物吸収処理シート１を袋状に変形させ、シート上の汚物をこぼすことなく、衛生的に廃棄処分できるという従来品に無い、新しい機能を備えることができる。【００１１】  また、以上の機能を備えるために、従来のペット用排泄物吸収処理シートに、新たに別の部材を装着したり、またそのために従来品を加工したりする必要も無いため、生産コストを最小限に抑え、価格の上昇を防ぐことが期待でき、経済的においても有効である。
【発明を実施するための最良の形態】
【００１２】  この発明の一実施形態を図１に示し、以下、説明する。
ペット用排泄物吸収処理シート１の吸収部４以外の部分の一対辺に沿ってミシン目又は切れ目２を設け、これを切り離してひもに見立てる。
【実施例１】
【００１３】  ペット用排泄物吸収処理シート１の吸収部４以外の部分の一対辺に沿って設けられたミシン目又は切れ目２を切り離し、図２（ａ）に示すように、この切り離された部分３をひもに見立てる。図２（ｂ）に示すように、これを持ち上げ、図２（ｃ）に示すように一度絡ませてから相反方向へ引っ張ると図２（ｄ）に示すように、器状に変形させることができる。さらにゆるまないように結び、これをそのまま、ゴミ袋等へ移せばよい。
【実施例２】
【００１４】  この発明の実施例２を図３（ａ）に示す。図１に示す実施例１のミシン目又は切れ目２より内側中央に短いミシン目又は切れ目５を設け、図３（ｂ）に示すように、切り離された部分３を使用面側からこの短いミシン目又は切れ目５に通し、あとは実施例１と同様の手順をもって使用すると、図３（ｃ）に示すように、器状の形態をさらに安定させることができる。
【実施例３】
【００１５】  この発明の実施例３を図４（ａ）に示す。図に示すように、二辺にわたるミシン目又は切れ目２と、その内側の数ヶ所に短いミシン目又は切れ目５を設け、図４（ｂ）に示すように、短く設けられたミシン目又は切れ目５に切り離された部分３を波縫いするように通し、これを引っ張り、あとは実施例１と同様の手順をもって使用すると、図４（ｃ）に示すように、シートのふちを絞ることが可能となり、きんちゃく袋状に変形させることができる。【００１６】  その他、切り離された部分３をひもに見立てるミシン目又は切れ目２の設け方は多様に考えられるので、同様の目的を果たすためのミシン目又は切れ目２の設け方は、すべてこの発明に含まれるものとする。
【図面の簡単な説明】
【００１７】
【図１】この発明の一実施形態を示す平面図である。
【図２】（ａ）〜（ｄ）は、この発明の実施例１の使用方法および使用手順を示す説明図である。
【図３】（ａ）は、この発明の実施例２を示す平面図であり、（ｂ）、（ｃ）は、使用方法を示す斜視図である。
【図４】（ａ）は、この発明の実施例３を示す平面図であり、（ｂ）、（ｃ）は、使用方法を示す斜視図である。
【符号の説明】
【００１８】  １  ペット用排泄物吸収処理シート
２  ミシン目又は切れ目
３  切り離された部分
４  吸収部
５  短いミシン目又は切れ目
【図１】
2005137343.tif 000003
【図２】
2005137343.tif 000004
【図３】
2005137343.tif 000005
【図４】
2005137343.tif 000006
(57)【要約】【課題】本願発明は、通常の豆腐とは異なる成分組成を有する豆腐を提供することを目的とする。【解決手段】大豆を発芽処理し、発芽大豆を原材料として豆腐を製造する。これにより、通常の豆腐とは異なる成分組成を有し、炭水化物の含有量が少ない豆腐を提供することが可能である。【選択図】      なし。【特許請求の範囲】
【請求項１】
発芽処理した大豆を含む原材料を用いて製造された豆腐。
【発明の詳細な説明】
【技術分野】
【０００１】
本発明は、発芽処理した大豆を用いて製造された豆腐に関する。
【背景技術】
【０００２】
大豆製品が優れた健康食品であることはよく知られているが、その代表的なものの一つに豆腐が挙げられる。豆腐は栄養価が高いうえに手頃であり、広く食されている製品である。しかしながら、豆腐の原料となる大豆はタンパク質に次いで脂質を多く含み、同様に豆腐もタンパク質に次いで多くの脂質を含んでいる。近年のように、健康に対する関心の高まりから食品に対する要望も多様化している状況においては、優れた健康食品である豆腐もまた、さらにその成分を調整し機能性を追加することが求められている。
【発明の開示】
【発明が解決しようとする課題】
【０００３】
上記の事情に鑑み、本願発明は、消費者の多様なニーズに応え得るように、通常の豆腐とは異なる成分組成を有する豆腐を提供することを目的とする。
【課題を解決するための手段】
【０００４】
上記の目的を達成するため、本発明は、大豆を発芽処理し、発芽大豆を原材料として豆腐を製造する。
【発明の効果】
【０００５】
発芽処理した大豆を原料として製造することによって、通常の豆腐とは異なる成分組成を有する豆腐を提供することが可能である。
【発明を実施するための最良の形態】
【０００６】
本発明の豆腐は、大豆を発芽処理して得られた発芽大豆を原料として製造する。まず、原料となる大豆を約３倍量の水に常温で浸漬し、約３〜１０時間置く。その後、浸漬した大豆を発芽床に移し、１〜３時間ごとに１５〜２０分間間欠的に散水を行い、６〜１４時間発芽反応を進行させ、発芽大豆を得る。ここで、発芽大豆とは発芽直前から発芽直後の任意の状態にある大豆を含む。
【０００７】
得られた発芽大豆を、豆腐製造の定法に従い、５〜７倍量の水を加水しながら磨砕して生呉を製造する。得られた生呉を加熱した後、固−液分離を行い豆乳とおからに分ける。得られた豆乳を必要に応じて冷却し、次いで塩化マグネシウムなどの凝固剤を加えて成形することにより豆腐を製造する。
【０００８】
上述のように発芽処理した大豆を原料として製造した豆腐は、通常の豆腐と比べて炭水化物の含有量が少ないことが分かった。
【０００９】
本発明の発芽大豆を用いた豆腐は、豆腐が本来有する高い栄養価を維持したままで炭水化物の含有量を低減することができ、摂取される炭水化物量を調節する際などに有用である。
【００１０】
なお、本発明において使用される豆腐の原材料としては、発芽大豆と発芽処理しない大豆を混合したものでもよく、あるいは機能性を追加するために適切な他の材料を混合してもよい。
【００１１】
（実施例）
本発明に係る発芽大豆を原材料として製造した豆腐の成分を分析した。豆腐は、絹ごし豆腐および寄せ豆腐を試験し、併せて発芽大豆を原材料として製造した豆乳についても試験した。その結果を以下の表に示す。Ａは通常の豆腐または豆乳、Ｂは本発明の発芽処理した大豆を原料とした豆腐または豆乳を表す。成分分析は、食品衛生検査指針に基づく方法によって行い、たんぱく質換算係数は５．７１、エネルギー換算係数はそれぞれ、たんぱく質が４．００、脂質が９．００、炭水化物が４．００であり、炭水化物＝１００−（水分＋灰分＋たんぱく質＋脂質）である。
【表１】
2005137211.tif 000002
【００１２】
【表２】
2005137211.tif 000003
【００１３】
【表３】
2005137211.tif 000004
【００１４】
【表４】
2005137211.tif 000005
【００１５】
【表５】
2005137211.tif 000006
【００１６】
【表６】
2005137211.tif 000007
【００１７】
【表７】
2005137211.tif 000008
【００１８】
この結果から、本発明に係る発芽大豆を原料とした豆腐は、通常の豆腐と比較して炭水化物の含有量が低いことが示された。
(57)【要約】【課題】嗜好品である煙草は、火をつけた後に出る一酸化炭素等の有毒な煙を吸うことで本人だけでなく周囲の人も体に害を及ぼし、また煙草依存症の直接要因でないとされるタール等の有害物質が含まれており、肺がん等を発症し世界中でその危険性が危惧されていた。更に、煙草の火によって火事や火傷を起こしたりと危険であった。【解決手段】火を付けず、ニコチンや香料等の薬品を含む吸収材３から蒸発したものを、呼吸によって吸収する形態をとった煙草代用パイプを提供する。ニコチンや香料等の薬品を含む吸収材３は本体２の内部に設け、そこに吸引部１を接合させ、吸引部１から吸収できるようにする。【選択図】    図１
2005137223.tif 000002
【特許請求の範囲】
【請求項１】
ニコチン溶液を蒸発させたものを呼吸で吸収することで、煙草のように火をつける必要がなく、またニコチン以外の癌等を引き起こすとされているタール等の有害物質を取り除いたことを特徴とする煙草代用パイプ。
【請求項２】
前記ニコチンは、水に溶解するという特性やニコチン自身も低いながらも蒸気圧があり、沸点以下でも蒸発するという特性を持っており、水の蒸発と同時もしくは蒸発した水蒸気にニコチンが溶解することを活かして、ニコチン溶液が蒸発したものを呼吸によって吸収することを特徴とする請求項１記載の煙草代用パイプ。
【請求項３】
前記の煙草のように火をつけない事で、本人だけでなく周囲の人が、火をつけた後の煙に入っている一酸化炭素等の有害な煙を吸わせなくて済み、また火事や火傷を起こさないことを特徴とする請求項１記載の煙草代用パイプ。
【請求項４】
前記癌等を引き起こすとされていて、煙草依存症の直接要因でないと考えられているタール等の有害物質を取り除くことで、それらによる癌等の病気になりにくいことを特徴とする請求項１記載の煙草代用パイプ。
【発明の詳細な説明】
【技術分野】
【０００１】
この発明は、嗜好品である煙草に関する。
【背景技術】
【０００２】
従来の煙草は図３に示すように、煙草の本体７の内側前面にタールやニコチン等の様々な化学物質を含有している煙草の葉８、内側後面に煙害を軽減するフィルター９が設けられたものである。そして、煙草の葉８に火をつけ、フィルター９から煙を吸引していた。
【発明の開示】
【発明が解決しようとする課題】
【０００３】
しかしながら、以上の技術によれば、嗜好品である煙草は、火をつけた後に出る一酸化炭素等の有毒な煙を吸うことで本人だけでなく周囲の人も体に害を及ぼし、また煙草依存症の直接要因でないとされるタール等の有害物質が含まれており、肺がん等を発症し世界中でその危険性が危惧されていた。更に、煙草の火によって火事や火傷を起こしたりと危険であった。
そこで、この発明は、ニコチンの可溶性や沸点以下でも蒸発するという特性を活かして溶媒に溶かし、蒸発したものを呼吸によって吸収する事で、火をつけずに済み、それにより煙を出さず、本人や周囲の人に一酸化炭素等の有毒な煙が吸収出来ないようにし、火事や火傷を引き起こさないようにするだけでなく、更に煙草依存症の直接要因でないとされるタール等の有害物質を除く事で病気になりにくくする煙草代用パイプを提供することを課題とする。
【課題を解決するための手段】
【０００４】
以上の課題を解決するために、第一発明は、ニコチン溶液を蒸発させたものを呼吸で吸収することで、煙草のように火をつける必要がなく、またニコチン以外の癌等を引き起こすとされているタール等の有害物質を取り除いたことを特徴とする煙草代用パイプである。
また、第二発明は、ニコチンの水に溶解するという特性やニコチン自身も低いながらも蒸気圧があり、沸点以下でも蒸発するという特性を持っており、水の蒸発と同時もしくは蒸発した水蒸気にニコチンが溶解することを活かして、ニコチン溶液が蒸発したものを呼吸によって吸収することを特徴とする請求項１記載の煙草代用パイプである。
更に、第三発明は、煙草のように火をつけない事で、本人だけでなく周囲の人が、火をつけた後の煙に入っている一酸化炭素等の有害な煙を吸わせなくて済み、また火事や火傷を起こさないことを特徴とする請求項１記載の煙草代用パイプである。
そして、第四発明は、煙草依存症の直接要因でないと考えられているタール等の有害物質を取り除くことで、それらによる癌等の病気になりにくいことを特徴とする請求項１記載の煙草代用パイプである。
【発明の効果】
【０００５】
第一発明、または第二発明、更に第三発明、第四発明によれば、ニコチンの可溶性や沸点以下でも蒸発するという特性を活かして溶媒に溶かし、蒸発したものを呼吸によって吸収する事で火をつけなくて済み、それにより煙が出ず、これにより本人や周囲の人に一酸化炭素等の有毒な煙が吸収出来ないようになり、更に火をつけない事で火事や火傷が起きないようになる。また、癌等を引き起こすとされているタール等の有害物質を除く事で病気になりにくくなる。
【発明を実施するための最良の形態】
【０００６】
この発明の一実施形態を、図１、図２に示す。
吸引部１とニコチンや香料等の薬品を含む吸収材３が入っている本体２はプラスチック製であり、吸引部１と本体２は図のように接合させる事で棒状パイプとして使える。吸引部１と本体２には吸い込み穴４が各々設けられており、これにより煙草のように吸えるようになっている。吸引部１にはニコチンや香料等の薬品を含む吸収材３からの蒸発を防ぐキャップ６、本体２には同様に蒸発防止蓋５が設けられている。
【０００７】
「実施形態の効果」
この実施形態によれば、ニコチンの可溶性や沸点以下でも蒸発するという特性を活かして溶媒に溶かしたニコチン溶液を吸収材３に含ませ、そこから蒸発したものを呼吸によって吸収することで、火をつけず煙を出さなくてすむ。それにより、本人や周囲の人に一酸化炭素等の有毒な煙が吸収出来ないようになり、火をつけない事で火事や火傷が起きないようになる。また、ニコチン以外の有害物質を除く事で病気になりにくくなる。更に、煙草のポイ捨てもなくなり、1本の使用時間が従来の煙草より長くなる為、かさばらない。また、灰が出ないため、灰皿が不要になるだけでなく汚れない。  
【０００８】
「他の実施形態」
図１、図２の実施形態では、蒸発防止蓋５があったが、これは使いやすいように滑り止めとして、線状の凸部か細かい円状の凸部を設けたものでも良い。
また、本体２にある吸い込み穴４や蒸発防止蓋５を使用しない代わりに、本体２自身に外れないキャップとその下に穴を設け、それを上下させることでその下に穴から吸いこめるようにしたものでも良い。
【図面の簡単な説明】
【０００９】
【図１】この発明の一実施形態を示す斜視図である。
【図２】この発明の一実施形態を示す斜視図である。
【図３】従来技術を示す斜視図である。
【符号の説明】
【００１０】
１  吸引部                      ２  本体
３  吸収材                      ４  吸い込み穴
５  蒸発防止蓋                  ６  キャップ
７  煙草の本体                  ８  煙草の葉
９  フィルター
【図１】
2005137223.tif 000003
【図２】
2005137223.tif 000004
【図３】
2005137223.tif 000005
(57)【要約】【課題】  刈込機において、本体にフック部を設けたりコードクリップを付属しなくても電源コードと延長コードの抜け止めができ、ブレードによるコードの切断の防止とともに、ブレードケースの紛失を防止することである。【解決手段】  ブレードケース１に電源コード３のプラグ４と延長コード６プラグ５が通る穴２を設け、電源コード３と延長コード６を該ブレードケース１の穴２を通して接続することで、コード３、６に直に力が加わることがなく、ブレードケース１が接続部の近傍にコード３、６を覆うように位置するように係止出来るようにした。【選択図】  図３
2005137285.tif 000002
【特許請求の範囲】
【請求項１】
モータと、電源コードと、前記モータの回転力を往復運動に変換する変換機構と、該変換機構と接続され、長手方向に往復運動するブレードと、該ブレード外周を覆う着脱可能なブレードケースとを有する刈込機であって、
前記ブレードケースに前記電源コードのプラグが通過できる穴を複数個穿設したことを特徴とする刈込機。
【請求項２】
前記穴は長方形状に形成され、一辺が前記電源コードのプラグの長手方向寸法よりも小さく形成されていることを特徴とする請求項１記載の刈込機。
【発明の詳細な説明】
【技術分野】
【０００１】
本発明は、ブレード外周を覆う着脱可能なブレードケースを有する刈込機に関するものである。
【背景技術】
【０００２】
従来の刈込機の一例を図５〜図７に示す。
【０００３】
図において、刈込機は、電源コード３と延長コード６の抜け止め策として、本体８の後部のフック部９または付属品のコードクリップ７を使用している。また、刈込作業の際は延長コード６が生垣１１の中に入り込んだり、小枝に絡んだりする恐れがあった。更に非作業時にブレード１０の保護のためにブレード１０外周を覆う着脱可能なブレードケースは作業時には取外すため、置き忘れ等で紛失してしまう恐れがあった。
【０００４】
【特許文献１】特開平１０−３２３１２５号公報
【発明の開示】
【発明が解決しようとする課題】
【０００５】
上記した従来の刈込機は、電源コード３と延長コード６の抜け止めのために、図６に示すように本体８の後部にフック部９を設けるか、図５に示すようなコードクリップ７を付属する必要があった。また、刈込作業の際に延長コード６が生垣１１の中に入り込んだり、小枝に絡んでしまった場合は、作業性が悪くなるばかりでなく、誤ってブレード１０で延長コード６を切断してしまう恐れがあった。更にブレードケースを紛失してしまった場合は、持ち運び時にけがをする恐れがあった。
【０００６】
本発明の目的は、刈込機にフック部を設けたりコードクリップを付属しなくても電源コードと延長コードの抜け止めができ、ブレードによるコードの切断の防止とともに、ブレードケースの紛失を防止することである。
【課題を解決するための手段】
【０００７】
上記目的は、ブレードケースにコードのプラグが通る穴を設け、該ブレードケースが電源コードと延長コードの接合部で係止されるようにすることで達成される。
【発明の効果】
【０００８】
本発明によれば、ブレードケースがコードクリップの役割とコードの保護を果たすようになり、刈込作業中にコードが抜けたり、コードを誤って切断することがないので作業性の向上が図れる。また、ブレードケースを取外しておく必要がなくなるので、置き忘れ等による紛失を防止することが出来る。
【発明を実施するための最良の形態】
【０００９】
本発明刈込機の一実施形態を図１〜図４に示す。
【００１０】
図１は本発明刈込機を構成するブレードケースの一実施形態を示す斜視図、図２は図１のブレードケースの背面図、図３は電源コードと延長コードの接続図、図４はブレードケースを用いた電源コードと延長コードの接続状態を示す要部拡大図である。
【００１１】
図１、図２においてブレードケース１には２つの長方形の穴２を設けている。該穴２の大きさは短辺部をａ、長辺部をｂとし、図３の電源コード３のプラグ４の幅ｃ、高さｄ、延長コード６のプラグ５の幅ｅ、高さｆとすると、プラグ４に対してａ＞ｄ、ｂ＞ｃ、プラグ５に対してａ＞ｆ、ｂ＞ｅとなり、それぞれのプラグ４、５が入るように若干大きめに形成されている。
【００１２】
電源コード３と延長コード６は、それぞれのプラグ３、４をブレードケース１の穴２に挿入し、該ブレードケース１の長手方向ｈと同じ方向にそれぞれのコード３、６が伸長可能な状態でブレードケース１が係止されるように２つの穴２の中間ｇで接続する。該状態で接続されたコード３、６は刈込作業中に引張られて、それぞれが離れる方向ｉ，ｊに力が加わってもブレードケース１が介在し、直に力が接続部に伝わらないように構成される。
【００１３】
また、ブレードケース１が常に接続部の近傍にコード３、６を覆うように位置するので延長コード６が生垣の中に入り込んだり、小枝に絡んだりし難くなる。
【図面の簡単な説明】
【００１４】
【図１】本発明刈込機を構成するブレードケースの一実施形態を示す斜視図。
【図２】図１のブレードケースの背面図。
【図３】電源コードと延長コードの接続図である。
【図４】図１のブレードケースを用いた電源コードと延長コードの接続状態を示す要部拡大図。
【図５】従来のコードクリップを用いた電源コードと延長コードの接続状態を示す要部拡大図
【図６】従来の刈込機の一例を示す要部拡大図。
【図７】従来の刈込機の作業状態図。
【符号の説明】
【００１５】
１はブレードケース、２は穴、３は電源コード、４はプラグ、５はプラグ、６は延長コード、７はコードクリップ、８は本体、９はフック部、１０はブレード、１１は生垣である。
【図１】
2005137285.tif 000003
【図２】
2005137285.tif 000004
【図３】
2005137285.tif 000005
【図４】
2005137285.tif 000006
【図５】
2005137285.tif 000007
【図６】
2005137285.tif 000008
【図７】
2005137285.tif 000009
(57)【要約】【課題】  歯科検診時に、衛生的に口の中が見やすくなる器具を提供する。【解決手段】  両端を先細り的に形成し、かつ両先端は丸みを帯びた円柱状の主軸の中央に、ツバを水平状に設けたことを特徴とする。【選択図】  図１
2005137835.tif 000002
【特許請求の範囲】
【請求項１】
両端を先細り的に形成し、かつ両先端は丸みを帯びた円柱状の主軸の中央に、ツバを水平状に設ける。
以上よりなる歯科用ミラーの補助具。
【発明の詳細な説明】
【技術分野】
【０００１】  本発明は、歯科検診の時、歯科用ミラーの使用時に、口腔内の奥歯の外側や前歯の歯肉等、見えにくい場所を検診する時に使用する歯科用ミラーの補助具に関するものである。
【背景技術】
【０００２】  従来、歯科検診を行う時、歯科用ミラーを片手に持ち、もう一方の手で、口の中の見えにくい奥歯の外側、及び前歯の歯肉を、指先を口の中に入れて頬を持ち上げたり、唇を持ち上げて見やすい様に行っていた。
【発明の開示】
【発明が解決しようとする課題】
【０００３】  そのため次のような問題点があった。
一人の被検診者を見ると、ミラーはその都度交換するが、もう一方の指先は、口の中に入れたり、唇を触るため、不潔になり、ラバーグローブを付けていても、その度、変えるわけにはいかず、又、手洗器の中に消毒薬を入れ、手を洗っても、その中に細菌が入ってしまえば、不潔になって、次の被検診者に感染症を移す可能性があった。
【課題を解決するための手段】
【０００４】  両端を先細り的に形成し、かつ両先端は丸みを帯びた円柱状の主軸の中央に、ツバを水平状に設ける。
以上よりなる歯科用ミラーの補助具。
【発明の効果】
【０００５】  本発明は、歯科検診時に、感染症を他人にうつさない効果がある。
【発明を実施するための最良の形態】
【０００６】  以下、本発明の実施の形態を説明する。
（イ）  縦長で円柱状の主軸（１）の両端は先細り的に形成され、主軸（１）の両先端（４）は丸みを帯びている。
（ロ）  主軸（１）の中央に円形状のツバ（２）を水平状に設け、ツバ（２）の両面は凹面部（３）にする。
本発明は以上の構成よりなっている。
本発明を使用する時は、片方の手で歯科用ミラー（６）を持ち、もう一方の手に、本発明のデンタル補助具を持ち、歯科用ミラーだけでは見えにくい口（５）の内側（奧歯の外側及び前歯の歯肉等）を、頬、及び唇を持ち上げて見やすくする。又、唾液の逆流を防ぐツバ（２）は凹面部（３）を設けているため、唾液がツバから流れ落ち難い。従って、衛生的に使用出来る。
【図面の簡単な説明】
【０００７】
【図１】  本発明の斜面図
【図２】  本発明の断面図
【図３】  本発明の使用状態を示す斜視図
【符号の説明】
【０００８】    １  主軸        ２  ツバ部
３  凹面部      ４  先端
５  口          ６  歯科用ミラー
【図１】
2005137835.tif 000003
【図２】
2005137835.tif 000004
【図３】
2005137835.tif 000005
(57)【要約】【課題】  看護用の患者に酸素吸入するとき、鼻孔にチューブを差し込み酸素吸入ができる、挟持片の先端に凸部があり、チューブを鼻孔に挟み固定できる鼻孔チューブ固定具に関するものである。【解決手段】  対向する挟持片の中央にバネ体を橋渡しに設け、挟持片にチューブを通す凹部を設け、バネ体に天板を設け、バネ体の天板に上部板を重合させて設け、挟持片の凹部のチューブに上部板先端で押圧して固定し、バネ体上部板後端を押すことにより、バネ体上部板先端が上に開き、チューブの取り外しがしやすい、挟持片先端の内側に凸部を設け、挟持片の後端を押圧することによりバネ体両側の側板バネで挟持片の先端が開き、鼻孔に挟み固定し、チューブを鼻孔に差し込み、酸素吸入ができるのが特徴とする鼻孔チューブ固定具。【選択図】  図１
2005137839.tif 000002
【特許請求の範囲】
【請求項１】
対向する挟持片の中央にバネ体を橋渡しに設け、挟持片にチューブを通す凹部を設け、バネ体に天板を設け、バネ体の天板に上部板を重合させて設け、挟持片の凹部のチューブに上部板先端で押圧して固定し、バネ体上部板後端を押すことにより、バネ体上部板先端が上に開き、チューブの取り外しがしやすい、挟持片先端の内側に凸部を設け、挟持片の後端を押圧することによりバネ体両側の側板バネで挟持片の先端が開き、鼻孔に挟み固定し、チューブを鼻孔に差し込み、酸素吸入ができるのが特徴とする鼻孔チューブ固定具。
【発明の詳細な説明】
【技術分野】
【０００１】  本発明は、看護用の患者に酸素吸入するとき、鼻孔にチューブを差し込み酸素吸入ができる、挟持片の先端に凸部があり、チューブを鼻孔に挟み固定できる鼻孔チューブ固定具に関するものである。
【背景技術】
【０００２】  従来、患者に鼻からチューブを挿入して酸素吸入するとき、粘着テープで鼻の上に貼り付けて止め、耳に掛けていた。
【発明の開示】
【発明が解決しようとする課題】
【０００３】  そのために次のような問題点があった。
酸素吸入をするとき、鼻の上に粘着テープを貼っていたが剥がれ、耳に掛けて酸素吸入するが、頭を動かしたり、睡眠中に寝返りをしたとき、鼻孔に酸素吸入していたチューブが外れる。
本発明は、以上の問題点を解決しようとするものである。
【課題を解決するための手段】
【０００４】  対向する挟持片の中央にバネ体を橋渡しに設け、挟持片にチューブを通す凹部を設け、バネ体に天板を設け、バネ体の天板に上部板を重合させて設け、挟持片の凹部のチューブに上部板先端で押圧して固定し、バネ休上部板後端を押すことにより、バネ体上部板先端が上に開き、チューブの取り外しがしやすい、挟持片先端の内側に凸部を設け、挟持片の後端を押圧することによりバネ体両側の側板バネで挟持片の先端が開き、鼻孔に挟み固定し、チューブを鼻孔に差し込み、酸素吸入ができるのが特徴とする鼻孔チューブ固定具。
以上を特徴とする鼻孔チューブ固定具である。
【発明の効果】
【０００５】  本発明は、酸素吸入するとき、挟持片先端で鼻孔を挟み、先端の凸部が滑り止めになり、チューブを鼻孔に差し込み固定され、睡眠中に頭を動ごかしても鼻孔からチューブが外れる心配がない、安心して酸素吸入することができる。
【発明を実施するための最良の形態】
【０００６】  以下、本発明の実施の形態を説明する。
（イ）対向する挟持片（１）の中央内側にバネ体（Ａ）の両側に有する側板（６ｃ）を挟持片の内側に固着し、バネ体（Ａ）を橋渡しに設けた。
（ロ）バネ体（Ａ）天板（６ａ）に上部板（９）を固着し、挟持片（１）の凹部（５）にチューブ（Ｂ）を通し、バネ体（Ａ）の天板（６ａ）の上部板先端（１０）でチューブ（Ｂ）を押圧して固定し、上部板後端（１１）を押すことにより、上部板先端（１０）が上に開き、チューブ（Ｂ）の取り外しがしやすい。
（ハ）挟持片（１）、（１）およびバネ体（Ａ）の両側、側板（６ｃ）天板（６ａ）上部板（９）は可撓性の軟質性樹脂よりなり、挟持片（１）の後端（４）を両側から押圧することにより先端（２）は開閉自在となる。
（二）挟持片（１）、（１）の先端（２）の内側に凸部（３）を設け、挟持片（１）に凹部（５）を設けてチューブ（Ｂ）を通し、バネ体（Ａ）の天板（６ａ）に固着している上部板（９）の上部板後端（１１）を押すことで、上部板先端（１０）が上に開き、チューブ（Ｂ）の取り外しがしやすい。
本発明は、以上の構成よりなっている。
本発明を使用するときは、上記の挟持片（１）、（１）の先端（２）の凸部（３）で鼻孔を挟み、チューブ（Ｂ）を挟持片の凹部（５）にチューブ（Ｂ）を通し、鼻孔にチューブを差し込み固定して、酸素吸入することができる。
【図面の簡単な説明】
【０００７】
【図１】本発明の斜視図
【図２】本発明の分解斜視図
【図３】本発明の斜視図
【図４】本発明の使用状態を示す斜視図
【図５】本発明の斜視図
【図６】本発明の使用状態を示す斜視図
【図７】本発明の使用状態を示す斜視図
【符号の説明】
【０００８】  １  挟持片
２  先端
３  凸部
４  後端
５  凹部
Ａ  バネ体
６ａ  天板
６ｂ  前板
６ｃ  側板
Ｂ  チューブ
７ａ  挿入部
７ｂ  導管部
８  導入穴
９  上部板
１０  上部板先端
１１  上部板後端
【図１】
2005137839.tif 000003
【図２】
2005137839.tif 000004
【図３】
2005137839.tif 000005
【図４】
2005137839.tif 000006
【図５】
2005137839.tif 000007
【図６】
2005137839.tif 000008
【図７】
2005137839.tif 000009
(57)【要約】【課題】    一回のレバー操作でＰＶＡスポンジに含まれた水分をより多く絞れ、ローラー幅よりＰＶＡスポンジを小さく挟む事も可能にし、レバーやＰＶＡスポンジへの負荷も従来通りである事を特徴とする柄付の吸水モップを提供することである。【解決手段】頭部にＰＶＡスポンジを有する柄付の吸水モップのローラー部断面は扁平な円形もしくは長方形（クリッパータイプ）を有している。【選択図】  図３
2005137836.tif 000002
【特許請求の範囲】
【請求項１】
家庭やオフィスなどで使われる清掃用のモップあるいはワイパーであって、頭部にＰＶＡスポンジを有する柄付の吸水モップである。柄に取付けられたハンドルレバーを引っ張ると本体先端に一定幅で設置されたローラーとローラーの間を通過させる事が出来る。
ローラー部断面は扁平な円形もしくは長方形であることを特徴とする柄付の吸水モップであり、材質はポリプロピレンまたはＡＢＳ樹脂、ポリエチレンを原料とした成形品でローラー表面にエンボスもしくは溝を有するクリッパータイプローラーで構成している事を特徴とした柄付吸水モップ。
【発明の詳細な説明】
【技術分野】
【０００１】本発明は、清掃時に使用する頭部にＰＶＡスポンジを有する柄付の吸水モップである。
【技術背景】
【０００２】  従来のローラー幅が固定された本体で、断面が円形の円柱ローラーは挟む部分が対照する２本のローラー中心部の線で絞るため水分が中心線より上下に逃げ、十分に水を絞り切れなかった。また、ローラー幅よりＰＶＡスポンジを小さく挟む事も出来なかった。
【発明の開示】
【発明が解決しようとする課題】
【０００３】本発明は、従来と同じローラー幅の固定された本体において、一回のレバー操作でＰＶＡスポンジに含まれた水分をより多く絞れ、ローラー幅よりＰＶＡスポンジを小さく挟む事も可能にし、レバーやＰＶＡスポンジへの負荷も従来通りである事を特徴とする頭部にＰＶＡスポンジを有する柄付の吸水モップを提供することである。
【課題を解決するための手段】
【０００４】前記目的を解決する為、本発明の頭部にＰＶＡスポンジを有する柄付の吸水モップのローラー部断面は扁平な円形もしくは長方形（クリッパータイプ）であることが望ましい。【０００５】また、ローラーの材質はポリプロピレンまたはＡＢＳ樹脂、ポリエチレンを原料とした成形品である事が望ましい。【０００６】また、ローラーの表面積は従来品である断面が円形の円柱ローラーの２〜３倍にする事が望ましい。【０００７】ローラー表面にはＰＶＡスポンジとの摩擦を高めるギアのようにエンボスもしくは溝部分を設けることが望ましい。【０００８】また、ローラーの回転をスムーズに行う為に、回転軸の部分は半円形状のローラーにて成っていて、先端はローラーの直径と同等もしくは幅の狭いものが望ましい。（ピンボールゲームに採用されているボールを弾くためのクリッパーアーム）【０００９】アルミパイプなど軽量の柄を組み合わせる事によって清掃作業の効率化を図る事が可能である。
【発明の効果】
【００１０】従来と同じローラー幅の固定された本体において、一回のレバー操作でＰＶＡスポンジに含まれた水分をより多く絞れ、ローラー幅よりＰＶＡスポンジを小さく挟む事も可能にし、レバーやＰＶＡスポンジへの負荷も従来通りである事である。この考案ＰＶＡ吸水モップ用挟みローラーは簡単な構成であるが、従来にない特徴を兼ね備え、付加価値の高い便利なものを提供でき、物余り市場に与える活性効果は極めて大きい。
【発明を実施する最良の形態】
【００１１】本発明の実施の形態について、図を用いて説明するが、以下の実施形態に限定されることはない。
【００１２】図４、図５、図６は、レバー操作時を示しているが、ローラー部断面は扁平な円形もしくは長方形（クリッパータイプ）にし、ローラーの表面積は従来品である断面が円形の円柱ローラーの２〜３倍にすることにより、一回のレバー操作でＰＶＡスポンジに含まれた水分をより多く絞ることができる。
【００１３】また、ローラー表面にはＰＶＡスポンジとの摩擦を高めるギアのようにエンボスもしくは溝部分を設けている。
【図面の簡単な説明】
【００１４】
【図１】本実施形態にかかるＰＶＡ吸水モップの正面図である。（柄上部省略）
【図２】本実施形態にかかるＰＶＡ吸水モップの側面図である。（柄上部省略）
【図３】本実施形態にかかるローラー示す説明図である。
【図４】本実施形態にかかるレバー操作時初期状態を示す説明図である。（柄上部省略）
【図５】本実施形態にかかるレバー操作時中期状態を示す説明図である。（柄上部省略）
【図６】本実施形態にかかるレバー操作時終期状態を示す説明図である。（柄上部省略）
【符号の説明】
【００１５】  １    ＰＶＡスポンジ
２    本体カバー
３    アーム
４    ハンドルレバー
５    ローラー
６    柄
７    回転軸
【図１】
2005137836.tif 000003
【図２】
2005137836.tif 000004
【図３】
2005137836.tif 000005
【図４】
2005137836.tif 000006
【図５】
2005137836.tif 000007
【図６】
2005137836.tif 000008
(57)【要約】【課題】中空筒をスライドさせることによって柄を直立させて使用したり、柄上部と柄下部を折り曲げ、椅子に置くこともできる傘を提供する。【解決手段】柄を、傘部を有する柄上部と、柄下部とに分割する。柄下部に突出片を設けた差し入れ部を設け、柄上部に突出片の受け部を設け、軸を通すことにより、柄を折れ曲がり自由にする。折れ部付近を中空筒がスライドできるようにし、中空筒で折れ部を被覆することにより、柄を直立させる。中空筒をスライドさせることにより、柄を折り曲げることも、直立させることもできることを特徴とする傘。【選択図】  図１
2005137832.tif 000002
【特許請求の範囲】
【請求項１】
上部に傘部を有し支軸の柄を設けた傘において、柄上部と柄下部との間に折れ部を設けることにより，柄が折れ曲がるようにし、中空筒をスライドさせ折れ部を被覆することにより、柄を直立させることを特徴とする傘。
【発明の詳細な説明】
【技術分野】
【０００１】  本発明は、中空筒をスライドさせることによって柄を直立させて使用したり、柄上部と柄下部を折り曲げて、椅子に置いて使用することもできる傘に関するものである。
【背景技術】
【０００２】  従来、傘を持って電車に乗り座席に座るときは、傘が倒れるのを防ぐために、傘を手で持っていなくてはならなかった。しかも傘が濡れた状態であるときは、足下から十分に遠ざけて持ち続けないと、濡れた傘で足や衣類が濡れ、不快感を与えてきた。
【発明の開示】
【発明が解決しようとする課題】
【０００３】  そのために次のような問題点があった。
体から遠ざけて、手で傘を持っていなくてはならないため、手や肩が疲れるうえ、本なども読めず、時間が有効に活用できなかった。座席に傘をもたれかけてしまうと、座席や衣服が濡れてしまっていた。
また、折りたたみ式傘の場合は、折りたたんでカバーに入れ、鞄に入れることもできるが、使用後の場合は、濡れた傘にカバーをつけてから鞄に入れたとしても、鞄の中が濡れてしまっていた。しかも、短時間でも、傘の骨をおり、たたまなくてはならず、手間がかかった。
本発明は、以上の問題点を解決しようとするものである。
【課題を解決するための手段】
【０００４】  柄を、傘部を有する柄上部と、柄下部とに分割する。柄下部に突出片を設けた差し入れ部を設け、柄上部に突出片の受け部を設け、軸を通すことにより、柄を折り曲げ自由にする。折れ部付近を中空筒が上下にスライドできるようにし、中空筒で折れ部を被覆することにより、柄を直立させる。中空筒をスライドさせることにより、柄を折り曲げることも、直立させることもできることを特徴とする傘。
【発明の効果】
【０００５】  本発明は、柄を折り曲げ、柄下部を座席に置くことによって、傘を長時間手で持っていなくてはならない煩わしさがない。また、傘布の濡れた部分が内側に折りたたまれる構造により、座席や衣類が濡れてしまうという不快感を与えない。
傘部が下向きになっても、柄を直立させておくことができるため、長傘と同じように簡単に束ねて持ち運ぶこともできる。
【発明を実施するための最良の形態】  以下、本発明の実施の形態を説明する。
（イ）上部に傘部（Ｂ）を有する柄を、柄上部（１）と柄下部（２）に二分割する。
（ロ）柄上部（１）の下端部に、円柱状の受け部（４）を設け、受け部（４）に縦長の切り込みを入れて溝（５）を設け、穴（６ａ）を開ける。
（ハ）柄下部（２）の上端に円柱状の差込部（７）を設け、突出片（８）を設け突出片（８）に穴（６ｂ）を設ける。
（ニ）上下を開口した中空筒（９）を柄上部（１）に挿入し、柄上部（１）を上下に可動自由にし、柄上部（１）の中途に中空筒（９）を受けるストッパー（１０）を設ける
（ホ）中空筒の下端に磁石（１１ａ）を設ける。
（ヘ）柄下部の中途に磁石（１１ｂ）を設け、柄上部（１）の中空筒（９）を下方にスライドさせるとき、中空筒の磁石（１１ａ）と柄下部（２）の磁石（１１ｂ）を着脱自由とする。
（ト）柄下部（２）の差込部（７）の突出片（８）を、柄上部（１）の受け部（４）の溝（５）に差込み、穴（６ａ・６ｂ）に軸（１２）を通し、折り曲げ自由にする。
本発明は、以上のような構成からなるので、図３に示すように中空筒を柄下部にスライドさせることにより、柄を直立させることができ、図４に示すように、中空筒を柄上部にスライドさせることにより、柄を折り曲げることができる。したがって、乗り物などで座席にかけるとき、本発明を使用するには、傘をたたみ、中空筒を柄上部側にスライドさせ、柄を折り曲げる。傘部分を有する柄上部を地面に向かって垂れさせ、柄下部を座席に置くことができる（図１）。傘をさすときには、筒を柄下部側にスライドさせることにより、折れ部が筒により被覆されるため、柄を直立させて使用することができる。傘を閉じて歩行するときは、柄下部側に筒のカバーをスライドさせておけば、傘部分が下を向いても、磁石により筒が柄下部側に固定されるため、柄を直立させて使用できる。また、傘布の表裏に束ね紐をつけておくことで、傘布部分を通常の長い傘のような束ね方で使用することも可能である。
【図面の簡単な説明】
【０００６】
【図１】本発明の使用状態を示す側面図
【図２】本発明の折り部分解斜視図
【図３】本発明の要部を示す断面図
【図４】本発明の要部を示す側面図
【符号の説明】
【０００７】１    柄上部
２    柄下部
３    椅子
４    受け部
５    溝
６ａ  穴
６ｂ  穴
７    差込部
８    突出片
９    中空筒
１０  ストッパー
１１ａ  磁石
１１ｂ  磁石
１２  軸
Ａ    折れ部
Ｂ    傘部
【図１】
2005137832.tif 000003
【図２】
2005137832.tif 000004
【図３】
2005137832.tif 000005
【図４】
2005137832.tif 000006
(57)【要約】〔課題〕大便が直接皮膚に付く事は事後処理に手間が掛り衛生面でも問題が有ります。幼児には軟便が多く課題となっていました。〔解決手段〕解決のためにおしめの内側に穴の空いた仕切パットを付ける事に大便を肛門より外に出た時に止切リングより外に出て付着します。これにより便が直接皮膚につかず軟便、下痢、乳幼児に効果が有ります。【選択図】図２
2005137866.tif 000002
【特許請求の範囲】
【請求項１】
おむつの内側の肛門の場所に穴の空いた仕切パットを付ける。
【請求項２】
大便がおしりの皮膚に付着するのを少くするおむつ。
【発明の詳細な説明】
【発明の詳細な説明】
〔発明の属する技術分野〕
【０００１】本発明はおむつをした人が大便を出した時に大便がおしりの皮膚に付着する量を少くするおむつです。おむつの内側に穴の空いた仕切パットを取付る。これにより肛門より出た便は穴より仕切パットの外側に出て皮膚に便が直接付着する量を少くしトレーニングパンツ用シート、紙パンツ、紙おむつ、布おむつにも利用出来る。
〔従来の技術〕
【０００２】便が皮膚に付着するのを防止する対策はなくおしりの面についた。
〔発明が解決しようとする課題〕
【０００３】大便が皮膚に付く事は事後処理に手間が掛り又何よりも衛生面で問題が有ります。特に幼女の性器に付着し中に入り取りにくい課題となっていた。
〔課題を解決するための手段〕
【０００４】解決のためにおしめの内側に穴の空いた仕切パットを付ける事により大便を肛門より外に出し止切リングの外に付着します。これにより直接皮膚につかず軟便、下痢便、乳幼児効果が有ります。
【図面の簡単な説明】
2005137866.tif 000003
【図１】
2005137866.tif 000004
【図２】
2005137866.tif 000005
【図３】
2005137866.tif 000006
【図４】
2005137866.tif 000007
【手続補正書】
【提出日】平成16年2月20日(2004.2.20)
【手続補正２】
【補正対象書類名】明細書
【補正対象項目名】全文
【補正方法】変更
【補正の内容】
【発明の詳細な説明】
【技術分野】
【０００１】本発明はおむつをした人が大便を出した時に大便がおしりの皮膚に付着する量を少くするおむつです。おむつの内側に穴の空いた仕切パットを取付る。これにより肛門より出た便は穴より仕切パットの外側に出て皮膚に便が直接付着する量を少くし、トレーニングパンツ用シート．紙パンツ．紙おむつ．布おむつにも利用出来る。
【背景技術】
【０００２】便が皮膚に付着するのを防止する対策はなくおしりの面についた。
【発明が解決しようとする課題】
【０００３】大便が皮膚に付く事は事後処理に手間が掛り又何よりも衛生面で問題が有ります。特に幼女の性器に付着し中に入り取りにくい課題となっていた。
【課題を解決するための手段】
【０００４】解決のためにおしりの内側に穴の空いた仕切パットを付ける事により大便を肛門より外に出し止切リングの外に付着します。
これにより直接皮膚につかず軟便．下利便．乳幼児に効果が有ります。
【図面の簡単な説明】
【０００５】
【図１】パンツ型おむつ立体図
【図２】側面図大便が仕切リングより外側に出た状態
【図３】おむつの上面図
【図４】トレーニング用おむつ
【符号の説明】
【０００６】１は仕切パット
２は仕切リング
３はおしめ
４は肛門
(57)【要約】      （修正有）【課題】就寝中の汗を排出し、褥瘡発生を予防し、熟睡できる敷布団マットを提供する。【解決手段】一定の大きさのタテマット表布１とタテマット裏布とを数１０本のタテマット縫着線で縫合し、タテマット充てん物空間を作りその空間に弾性のある充てん物をつめて、タテマットＹを形成する。次にヨコマット表布５とヨコマット裏布とを数１０本のヨコマット縫着線で縫合し、ヨコマット充てん物空間に弾性のある充てん物をつめて、ヨコマットＺを形成する。タテマットＹとヨコマットＺとの外周を縫合して、タテヨコ体圧分散マットを形成する。【選択図】図４
2005137869.tif 000002
【特許請求の範囲】
【請求項１】
一定の大きさのタテマツト表布１とタテマツト裏布２を数１０本のタテマツト縫着線３で縫合しタテマツト充てん物空間を作る。この空間に弾性のある、ポリエステル球状綿、羽毛、綿わた、スポンヂゴム等の材質の充てん物をつめて、タテマツトＹを作り、又一定の大きさのヨコマツト表布５とヨコマツト裏布６を数１０本のヨコマツト縫着線７で縫合し、ヨコマツト充てん物空間８を作りその空間に弾性のあるポリエステル球状綿  羽毛  綿わた  スポンヂゴム等の材質の充てん物をつめて、ヨコマツトＺを形成する。
タテマツトＹとヨコマツトＺとの外周を縫合し、タテマツト裏Ｖ字空間Ｂとヨコマツト表Ｖ字空間Ｃとが外圧の変化のポンプ作用でその空間の空気が出たり入ったりすることを特徴とする、タテヨコ体圧マツト。
【発明の詳細な説明】
【発明の詳細な説明】
［発明の属する技術分野］
【０００１】本発明は敷ふとんとして就寝中敷くものであって、長期病床生活者が汗を多く発汗する際、敷ふとんに多くの中空間を作り汗を吸しうすると共に体圧分散をより多くする敷ふとんに関するものである。
［従来の技術］
【０００２】従来の技術として無圧ふとんがよく知られている。スポンヂの表面又は内面に凸状の無数の凹凸を作ったり、又円筒状のものを横に列べてその中にクツシヨン性のものをつめこんだりしたマツトは多種ありますが、全て背中の汗が放出する構造になっていないのである。
［発明が解決しようとする課題］
【０００３】本発明が解決しようとする課題は、寝返へりするごとに、背中面で汗のふくんだ空気が今までの敷ふとんやマツトでは動かず、とゞこうったまゝで、湿度が上昇するばかりであり、寝苦しい寝床内気候で、この中で長期病床生活者には褥瘡の発生が多く見られたのである。
この課題を改良する必要があるのです。
［課題を解決するための手段］
【０００４】本発明はタテマツトＹを造る為、タテマツト表布１とタテマツト裏布２を重ねてタテマツト縫着線３をタテ方向に数１０本縫合する。一例を示すと縫合線の間を、６５ミリにして２５本作る。そのタテマツト充てん物空間４にポリエステル球状綿を出来るだけ充てんすると１枚のタテマツトＹが出来上ります。
又ヨコマツトＺのヨコマツト表布５とヨコマツトの表布６を重ねてヨコマツト縫着線７を縫合する。その際縫合線の間を６５ミリにし、ヨコマツト充てん物空間８を２５ケ所程作りその中に、ポリエステル球状綿を充てんする。タテマツトＹヨコマツトＺの充てん物は、弾性があれは羽毛、綿わた、スポンヂゴム等でもよい。又縫着線の間かくは広ければ厚くなり体圧分散、除湿効果も高くなるが、通常、充てん物を投入した時、直径が３ｃｍ〜４ｃｍ位がよいと思はれる。タテヨコマツトＹ、Ｚを合せると厚さが５ｃｍ〜７ｃｍ位になり重さも、あつかいやすいのです。この様にタテマツトＹ、ヨコマツトＺを二枚重ねて外周を縫合一体化し、タテヨコ体圧分散マツトが形成され、図５図６に示すタテマツト表Ｖ字空間Ａとタテマツト裏Ｖ字空間は二枚の通気性布で、くぎられており、又ヨコマツト表Ｖ字空間Ｃとヨコマツト裏Ｖ字空間Ｄも通気性布で、くぎられており、寝返りによりＶ字空間はポンプの様な役をしてこの空間の汗をふくんだ空気が、敷ふとん外に放出される為、背中の湿度が一定以上、上昇しない為、睡眠も快適に出来るのであるこの様にして課題を解決するのです。
［発明の実施の形態］
【０００５】図１はタテマツトＹを作る為、一定の大きさの通気性のある布二枚を重ね、一定の間をおいてタテマツト縫着線３を数１０本作り、その際出来るタテマツト充てん物空間４にポリエステル球状綿を出来るだけつめる、充てん物は羽毛又はスポンヂゴムの様に弾性物がよい。次に図３で示す一定の大きさの通気性ある布、ヨコマツト表布５  ヨコマツト裏布６を二枚重ね、ヨコマツト縫着線７を数１０本ヨコに作り、その際出来るヨコマツト充てん物空間８に、ポリエステル球状綿をつめ又充てん物は羽毛、綿わた、スポンヂゴム等弾性のあるものでよく、出来るだけつめてヨコマツトＺを形成する。
図４の様に外周を縫合して、タテヨコ体圧分散マツトを形成する
［発明の効果］
【０００６】本発明の敷ふとんマツトを使用して長期病床の人が寝床内生活をしても、体圧が分散され寝こごちが、ふんわりとし、空気層を多く含まれていて、寝返りごとにタテマツト表裏のＶ字空間ＡＢと、ヨコマツト表裏のＶ字空間ＣＤの空気がポンプで押された様に動き汗の含んだ空気は敷ふとんマツトより排出され、新しい空気が入り一定の湿度以上に背中の湿度が上昇せず、健康な快適な寝床内湿度が得られるのです。又長期病床生活者の敷ふとん内湿度は９９％以上になり信じられない寝具で生活をしているのです。褥瘡はこの湿度が私の研究では第一原因と考へます。体圧分散商品で現在褥瘡を予防出来ると考へられていますがこれを使用しても予防が出来ていないのが現状です。
私の平成１５年１１月４日出願の褥瘡治療用の「除湿体圧分散エアーマツト」とセツトして使用すれば、治療用具として又防止用具としての効果は絶大である。
又特許第３０６１３６０号とセツトして使用しても秀れた効果は期待出来ると信じます。
【図面の簡単な説明】
【０００７】
【図１】本発明のタテマツト表布１とタテマツト表布２とを縫着線３の数本で縫合した部分図
【図２】本発明のタテマツトＹとヨコマツトＺが外周縫合された時部分図
【図３】本発明のヨコマツト表布５とヨコマツト表布６とを縫着線７の数本で縫合した部分図
【図４】タテマツトＹとヨコマツトＺの外周を縫合し本発明のタテヨコ体圧分散マツトの一部欠除した平面図、タテヨコ体圧分散マットのイ〜ロの部分断面図、タテヨコ体圧分散マットの  ハ〜ニの部分断面図
【符号の説明】
【０００８】１…タテマツト表布    ２…タテマツト裏布    ３…タテマツト縫着線    ４…タテマツト充てん物空間    ５…ヨコマツト表布    ６…ヨコマツト裏布    ７…ヨコマツト縫着線    ８…ヨコマツト充てん物空間    Ａ…タテマツト表Ｖ字空間    Ｂ…タテマツト裏Ｖ字空間    Ｃ…ヨコマツト表Ｖ字空間    Ｄ…ヨコマツト裏Ｖ字空間    Ｙ…タテマツト    Ｚ…ヨコマツト
【図１】
2005137869.tif 000003
【図２】
2005137869.tif 000004
【図３】
2005137869.tif 000005
【図４】
2005137869.tif 000006